(57)【要約】【課題】Ｕプレーン制御装置とＣプレーン制御装置とが分離された構成において、Ｕプレーン制御装置の状態管理や、ハンドオーバ処理を保証する。【解決手段】Ｃプレーン制御装置４１ａ，４１ｂは、自配下のＵプレーン制御装置毎に該Ｕプレーン制御装置の状態情報（トラヒック／帯域／アラーム情報）を自メモリに記憶して管理する。ハンドオーバ時には、移動機２の移動先のＮｏｄｅ  Ｂが自配下のＵプレーン制御装置に帰属している場合、自メモリから対象のＵプレーン制御装置の状態情報を読み出し、対象のＵプレーン制御装置にて無線リンク追加が可能か判断する。一方、移動機２の移動先のＮｏｄｅ  Ｂが自配下ではないＵプレーン制御装置に帰属している場合、別のＣプレーン制御装置に対して対象のＵプレーン制御装置の状態情報を問い合わせ、対象のＵプレーン制御装置にて無線リンク追加が可能か判断する。【選択図】      図４
2004194072.tif 000002
【特許請求の範囲】
【請求項１】
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線アクセスネットワークの制御方法において、
前記ユーザプレーン制御手段にて、自己が帰属している前記コントロールプレーン制御手段に対して自己の状態情報を報告するステップと、
前記コントロールプレーン制御手段にて、自配下のユーザプレーン制御手段毎に該ユーザプレーン制御手段から報告された状態情報を記憶手段に記憶し管理するステップとを有することを特徴とする無線アクセスネットワークの制御方法。
【請求項２】
前記ユーザプレーン制御手段の状態情報には、該ユーザプレーン制御手段内のトラヒック情報が含まれることを特徴とする、請求項１に記載の無線アクセスネットワークの制御方法。
【請求項３】
前記ユーザプレーン制御手段の状態情報には、該ユーザプレーン制御手段から外部に向けられた回線の帯域情報が含まれることを特徴とする、請求項１または２に記載の無線アクセスネットワークの制御方法。
【請求項４】
前記ユーザプレーン制御手段の状態情報には、該ユーザプレーン制御手段内で検出されたアラーム情報が含まれることを特徴とする、請求項１から３のいずれか１項に記載の無線アクセスネットワークの制御方法。
【請求項５】
前記ユーザプレーン制御手段にて、前記コントロールプレーン制御手段から前記状態情報の送信要求を受ける度に、前記状態情報を前記コントロールプレーン制御手段に対して報告することを特徴とする、請求項１から４のいずれか１項に記載の無線アクセスネットワークの制御方法。
【請求項６】
前記ユーザプレーン制御手段にて、一定の周期で前記状態情報を前記コントロールプレーン制御手段に対して報告することを特徴とする、請求項１から４のいずれか１項に記載の無線アクセスネットワークの制御方法。
【請求項７】
前記ユーザプレーン制御手段にて、該ユーザプレーン制御手段の前記状態情報の変化をトリガーとして前記状態情報を前記コントロールプレーン制御手段に対して報告することを特徴とする、請求項１から４のいずれか１項に記載の無線アクセスネットワークの制御方法。
【請求項８】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出すステップと、
前記コントロールプレーン制御手段にて、前記記憶手段から読み出した前記第１のユーザプレーン制御手段の状態情報に基づいて前記第１のユーザプレーン制御手段にて無線リンクの追加が可能であるかを判断するステップとを有することを特徴とする、請求項１から７のいずれか１項に記載の無線アクセスネットワークの制御方法。
【請求項９】
前記コントロールプレーン制御手段にて、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示するステップを有することを特徴とする、請求項８に記載の無線アクセスネットワークの制御方法。
【請求項１０】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出すステップと、
前記コントロールプレーン制御手段にて、前記記憶手段から読み出した前記第２のユーザプレーン制御手段の状態情報に基づいて前記第２のユーザプレーン制御手段にて無線リンクの追加が可能であるかを判断するステップとを有することを特徴とする、請求項１から７のいずれか１項に記載の無線アクセスネットワークの制御方法。
【請求項１１】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせるステップと、
前記コントロールプレーン制御手段にて、前記別のコントロールプレーン制御手段から回答された前記第２のユーザプレーン制御手段の状態情報に基づいて前記第２のユーザプレーン制御手段にて無線リンクの追加が可能であるかを判断するステップとを有することを特徴とする、請求項１から７のいずれか１項に記載の無線アクセスネットワークの制御方法。
【請求項１２】
前記コントロールプレーン制御手段にて、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示するステップを有することを特徴とする、請求項１０または１１に記載の無線アクセスネットワークの制御方法。
【請求項１３】
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線アクセスネットワークにおいて、
前記ユーザプレーン制御手段は、自己が帰属している前記コントロールプレーン制御手段に対して自己の状態情報を報告し、
前記コントロールプレーン制御手段は、自配下のユーザプレーン制御手段毎に該ユーザプレーン制御手段から報告された状態情報を記憶手段に記憶し管理することを特徴とする無線アクセスネットワーク。
【請求項１４】
前記ユーザプレーン制御手段は、該ユーザプレーン制御手段内のトラヒック情報を含む前記状態情報を前記コントロールプレーン制御手段に対して報告することを特徴とする、請求項１３に記載の無線アクセスネットワーク。
【請求項１５】
前記ユーザプレーン制御手段は、該ユーザプレーン制御手段から外部に向けられた回線の帯域情報を含む前記状態情報を前記コントロールプレーン制御手段に対して報告することを特徴とする、請求項１３または１４に記載の無線アクセスネットワーク。
【請求項１６】
前記ユーザプレーン制御手段は、該ユーザプレーン制御手段内で検出されたアラーム情報を含む前記状態情報を前記コントロールプレーン制御手段に対して報告することを特徴とする、請求項１３から１５のいずれか１項に記載の無線アクセスネットワーク。
【請求項１７】
前記ユーザプレーン制御手段は、前記コントロールプレーン制御手段から前記状態情報の送信要求を受ける度に、前記状態情報を前記コントロールプレーン制御手段に対して報告することを特徴とする、請求項１３から１６のいずれか１項に記載の無線アクセスネットワーク。
【請求項１８】
前記ユーザプレーン制御手段は、一定の周期で前記状態情報を前記コントロールプレーン制御手段に対して報告することを特徴とする、請求項１３から１６のいずれか１項に記載の無線アクセスネットワーク。
【請求項１９】
前記ユーザプレーン制御手段は、該ユーザプレーン制御手段の前記状態情報の変化をトリガーとして前記状態情報を前記コントロールプレーン制御手段に対して報告することを特徴とする、請求項１３から１６のいずれか１項に記載の無線アクセスネットワーク。
【請求項２０】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出し、読み出した前記第１のユーザプレーン制御手段の状態情報に基づいて前記第１のユーザプレーン制御手段にて無線リンクの追加が可能であるかを判断することを特徴とする、請求項１３から１９のいずれか１項に記載の無線アクセスネットワーク。
【請求項２１】
前記コントロールプレーン制御手段は、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示することを特徴とする、請求項２０に記載の無線アクセスネットワーク。
【請求項２２】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出し、読み出した前記第２のユーザプレーン制御手段の状態情報に基づいて前記第２のユーザプレーン制御手段にて無線リンクの追加が可能であるかを判断することを特徴とする、請求項１３から２１のいずれか１項に記載の無線アクセスネットワーク。
【請求項２３】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせ、該問い合わせに対して回答された前記第２のユーザプレーン制御手段の状態情報に基づいて前記第２のユーザプレーン制御手段にて無線リンクの追加が可能であるかを判断することを特徴とする、請求項１３から２２のいずれか１項に記載の無線アクセスネットワーク。
【請求項２４】
前記コントロールプレーン制御手段は、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示することを特徴とする、請求項２３または２４に記載の無線アクセスネットワーク。
【請求項２５】
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線制御装置の制御方法において、
前記ユーザプレーン制御手段にて、自己が帰属している前記コントロールプレーン制御手段に対して自己の状態情報を報告するステップと、
前記コントロールプレーン制御手段にて、自配下のユーザプレーン制御手段毎に該ユーザプレーン制御手段から報告された状態情報を記憶手段に記憶し管理するステップとを有することを特徴とする無線制御装置の制御方法。
【請求項２６】
前記ユーザプレーン制御手段の状態情報には、該ユーザプレーン制御手段内のトラヒック情報が含まれることを特徴とする、請求項２５に記載の無線制御装置の制御方法。
【請求項２７】
前記ユーザプレーン制御手段の状態情報には、該ユーザプレーン制御手段から外部に向けられた回線の帯域情報が含まれることを特徴とする、請求項２５または２６に記載の無線制御装置の制御方法。
【請求項２８】
前記ユーザプレーン制御手段の状態情報には、該ユーザプレーン制御手段内で検出されたアラーム情報が含まれることを特徴とする、請求項２５から２７のいずれか１項に記載の無線制御装置の制御方法。
【請求項２９】
前記ユーザプレーン制御手段にて、前記コントロールプレーン制御手段から前記状態情報の送信要求を受ける度に、前記状態情報を前記コントロールプレーン制御手段に対して報告することを特徴とする、請求項２５から２８のいずれか１項に記載の無線制御装置の制御方法。
【請求項３０】
前記ユーザプレーン制御手段にて、一定の周期で前記状態情報を前記コントロールプレーン制御手段に対して報告することを特徴とする、請求項２５から２８のいずれか１項に記載の無線制御装置の制御方法。
【請求項３１】
前記ユーザプレーン制御手段にて、該ユーザプレーン制御手段の前記状態情報の変化をトリガーとして前記状態情報を前記コントロールプレーン制御手段に対して報告することを特徴とする、請求項２５から２８のいずれか１項に記載の無線制御装置の制御方法。
【請求項３２】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出すステップと、
前記コントロールプレーン制御手段にて、前記記憶手段から読み出した前記第１のユーザプレーン制御手段の状態情報に基づいて前記第１のユーザプレーン制御手段にて無線リンクの追加が可能であるかを判断するステップとを有することを特徴とする、請求項２５から３１のいずれか１項に記載の無線制御装置の制御方法。
【請求項３３】
前記コントロールプレーン制御手段にて、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示するステップを有することを特徴とする、請求項３２に記載の無線制御装置の制御方法。
【請求項３４】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出すステップと、
前記コントロールプレーン制御手段にて、前記記憶手段から読み出した前記第２のユーザプレーン制御手段の状態情報に基づいて前記第２のユーザプレーン制御手段にて無線リンクの追加が可能であるかを判断するステップとを有することを特徴とする、請求項２５から３１のいずれか１項に記載の無線制御装置の制御方法。
【請求項３５】
前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせるステップと、
前記コントロールプレーン制御手段にて、前記別のコントロールプレーン制御手段から回答された前記第２のユーザプレーン制御手段の状態情報に基づいて前記第２のユーザプレーン制御手段にて無線リンクの追加が可能であるかを判断するステップとを有することを特徴とする、請求項２５から３１のいずれか１項に記載の無線制御装置の制御方法。
【請求項３６】
前記コントロールプレーン制御手段にて、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示するステップを有することを特徴とする、請求項３４または３５に記載の無線制御装置の制御方法。
【請求項３７】
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線制御装置において、
前記ユーザプレーン制御手段は、自己が帰属している前記コントロールプレーン制御手段に対して自己の状態情報を報告し、
前記コントロールプレーン制御手段は、自配下のユーザプレーン制御手段毎に該ユーザプレーン制御手段から報告された状態情報を記憶手段に記憶し管理することを特徴とする無線制御装置。
【請求項３８】
前記ユーザプレーン制御手段は、該ユーザプレーン制御手段内のトラヒック情報を含む前記状態情報を前記コントロールプレーン制御手段に対して報告することを特徴とする、請求項３７に記載の無線制御装置。
【請求項３９】
前記ユーザプレーン制御手段は、該ユーザプレーン制御手段から外部に向けられた回線の帯域情報を含む前記状態情報を前記コントロールプレーン制御手段に対して報告することを特徴とする、請求項３７または３８に記載の無線制御装置。
【請求項４０】
前記ユーザプレーン制御手段は、該ユーザプレーン制御手段内で検出されたアラーム情報を含む前記状態情報を前記コントロールプレーン制御手段に対して報告することを特徴とする、請求項３７から３９のいずれか１項に記載の無線制御装置。
【請求項４１】
前記ユーザプレーン制御手段は、前記コントロールプレーン制御手段から前記状態情報の送信要求を受ける度に、前記状態情報を前記コントロールプレーン制御手段に対して報告することを特徴とする、請求項３７から４０のいずれか１項に記載の無線制御装置。
【請求項４２】
前記ユーザプレーン制御手段は、一定の周期で前記状態情報を前記コントロールプレーン制御手段に対して報告することを特徴とする、請求項３７から４０のいずれか１項に記載の無線制御装置。
【請求項４３】
前記ユーザプレーン制御手段は、該ユーザプレーン制御手段の前記状態情報の変化をトリガーとして前記状態情報を前記コントロールプレーン制御手段に対して報告することを特徴とする、請求項３７から４０のいずれか１項に記載の無線制御装置。
【請求項４４】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出し、読み出した前記第１のユーザプレーン制御手段の状態情報に基づいて前記第１のユーザプレーン制御手段にて無線リンクの追加が可能であるかを判断することを特徴とする、請求項３７から４３のいずれか１項に記載の無線制御装置。
【請求項４５】
前記コントロールプレーン制御手段は、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示することを特徴とする、請求項４４に記載の無線制御装置。
【請求項４６】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出し、読み出した前記第２のユーザプレーン制御手段の状態情報に基づいて前記第２のユーザプレーン制御手段にて無線リンクの追加が可能であるかを判断することを特徴とする、請求項３７から４５のいずれか１項に記載の無線制御装置。
【請求項４７】
前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせ、該問い合わせに対して回答された前記第２のユーザプレーン制御手段の状態情報に基づいて前記第２のユーザプレーン制御手段にて無線リンクの追加が可能であるかを判断することを特徴とする、請求項３７から４６のいずれか１項に記載の無線制御装置。
【請求項４８】
前記コントロールプレーン制御手段は、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示することを特徴とする、請求項４６または４７に記載の無線無線制御装置。
【発明の詳細な説明】
【０００１】
【発明の属する技術分野】
本発明は、無線アクセスネットワーク（ＲＡＮ：Radio Access Network）の制御方法および無線アクセスネットワーク、無線制御装置（ＲＮＣ：Radio Network Controller）の制御方法および無線制御装置に関し、特に、Ｗ−ＣＤＭＡセルラ方式における無線制御装置の改良に関する。
【０００２】
【従来の技術】
図９は、従来の無線アクセスネットワークを含む移動通信システムであるＷ−ＣＤＭＡ通信システムを示す図である。
【０００３】
図９に示すように、無線アクセスネットワーク（ＲＡＮ）１は、無線制御装置（ＲＮＣ）４，５と、Ｎｏｄｅ  Ｂ（ノードＢ）６〜９により構成されており、交換機ネットワークであるコアネットワーク（ＣＮ）３とＩｕインタフェースを介して接続される。Ｎｏｄｅ  Ｂ６〜９とＲＮＣ４，５間のインタフェースはＩｕｂと称されており、ＲＮＣ４，５間のインタフェースとしてＩｕｒインタフェースも規定されている。なお、図９の構成の詳細は３ＧＰＰ（３rd Generation Partnership Projects）に規定されている（例えば、非特許文献１参照）。
【０００４】
Ｎｏｄｅ  Ｂ６〜９は、無線送受信を行う論理的なノードを意味し、具体的には、無線基地局装置である。各Ｎｏｄｅ  Ｂ６〜９は１つあるいは複数のセル１０をカバーするものであり、移動機（ＵＥ）２と無線インタフェースを介して接続されて無線回線を終端する。
【０００５】
ＲＮＣ４，５は、Ｎｏｄｅ  Ｂ６〜９の管理と、ソフトハンドオーバ時の無線パスの選択合成を行うものであり、その装置構成は、制御信号を転送するシグナリングのためのプロトコルであるＣ（Control）プレーンを制御する機能と、移動機（ＵＥ）２に関するユーザデータを転送するためのプロトコルであるＵ（User）プレーンを制御する機能との両制御機能が物理的に一体とされている。
【０００６】
この様なＵプレーンとＣプレーンとの両制御機能が一体化された従来のＲＮＣを有する無線アクセスネットワークにおいては、シグナリングの処理能力を向上させたい場合には、Ｃプレーンの制御機能のみを追加すれば良いにもかかわらず、ＲＮＣそのものを追加することが必要である。また、ユーザデータの転送速度を向上させたい場合には、Ｕプレーンの制御機能のみを追加すれば良いにもかかわらず、ＲＮＣそのものを追加することが必要である。従って、従来のＲＮＣの構成では、スケラビリティに富んだシステムを構築することが困難である。
【０００７】
そのため、最近の無線アクセスネットワークにおいては、Ｃプレーンを制御するＣプレーン制御装置と、Ｕプレーンを制御するＵプレーン制御装置とを別装置として物理的に分離して設けた構成が一部で提案されている。
【０００８】
この構成によれば、シグナリングの処理能力を向上させたい場合には、Ｃプレーン制御装置のみを追加すれば良く、また、ユーザデータの転送速度を向上させたい場合には、Ｕプレーン制御装置のみを追加すれば良いため、スケラビリティに富んだシステムを構築することが可能となる。
【０００９】
具体的な構成としては、例えば、１個のＣプレーン制御装置に対してｎ個のＵプレーン制御装置を帰属させる構成や、ｎ個のＣプレーン制御装置に対してｍ個のＵプレーン制御装置を帰属させる構成等、様々な構成が考えられる。さらに、ｎ個のＣプレーン制御装置に対してｍ個のＵプレーン制御装置を帰属させる構成とする場合には、１個のＵプレーン制御装置を２個以上のＣプレーン制御装置の配下に置く構成とすることも可能である。
【００１０】
【非特許文献１】
3GPP TS 25.401 V5.4.0 （2002-09）（3rd Generation Partnership Project ;Technical Specification Group Radio Access Network ;UTRAN Overall Description （Release 5））
【００１１】
【発明が解決しようとする課題】
しかしながら、上述のような従来の無線アクセスネットワークにおいては、Ｃプレーン制御装置とＵプレーン制御装置とが物理的に分離されているため、ＵプレーンとＣプレーンとの両制御機能が一体化されていた既存のシステム構成においては容易に確認できていたＵプレーン制御装置の状態管理（特に、時々刻々と変化するトラヒック等の状態情報）が非常に困難になるという問題点がある。
【００１２】
特に、ｎ個のＣプレーン制御装置に対してｍ個のＵプレーン制御装置を帰属させ、１個のＵプレーン制御装置が２個以上のＣプレーン制御装置の配下に置かれた構成とした場合には、Ｃプレーン制御装置において、自配下のＵプレーン制御装置が別のＣプレーン制御装置によりどのように使用されているかがわからず、自配下のＵプレーン制御装置の状態管理がさらに困難となる。
【００１３】
このように、Ｃプレーン制御装置とＵプレーン制御装置とを分離して設けた無線アクセスネットワークにおいては、Ｕプレーン制御装置の状態管理が困難であるため、特に、無線リンク追加等を行うハンドオーバ処理時にトラヒックが時々刻々と変化しているような状況下では、効率的にリソースを割当てることができなくなる。従って、既存システムで実現されているＵプレーン制御装置の状態管理やハンドオーバ処理を保証することができる何らかの制御方法が必要となる。
【００１４】
そこで、本発明の目的は、Ｕプレーン制御装置の状態管理や、ハンドオーバ処理を保証することができる、無線アクセスネットワークの制御方法および無線アクセスネットワーク、無線制御装置の制御方法および無線制御装置を提供することにある。
【００１５】
【課題を解決するための手段】
上記目的を達成するために本発明の無線アクセスネットワークの制御方法は、移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線アクセスネットワークの制御方法において、
前記ユーザプレーン制御手段にて、自己が帰属している前記コントロールプレーン制御手段に対して自己の状態情報を報告するステップと、
前記コントロールプレーン制御手段にて、自配下のユーザプレーン制御手段毎に該ユーザプレーン制御手段から報告された状態情報を記憶手段に記憶し管理するステップとを有することを特徴とする。
【００１６】
また、前記ユーザプレーン制御手段の状態情報には、該ユーザプレーン制御手段内のトラヒック情報が含まれることを特徴とする。
【００１７】
また、前記ユーザプレーン制御手段の状態情報には、該ユーザプレーン制御手段から外部に向けられた回線の帯域情報が含まれることを特徴とする。
【００１８】
また、前記ユーザプレーン制御手段の状態情報には、該ユーザプレーン制御手段内で検出されたアラーム情報が含まれることを特徴とする。
【００１９】
また、前記ユーザプレーン制御手段にて、前記コントロールプレーン制御手段から前記状態情報の送信要求を受ける度に、前記状態情報を前記コントロールプレーン制御手段に対して報告することを特徴とする。
【００２０】
また、前記ユーザプレーン制御手段にて、一定の周期で前記状態情報を前記コントロールプレーン制御手段に対して報告することを特徴とする。
【００２１】
また、前記ユーザプレーン制御手段にて、該ユーザプレーン制御手段の前記状態情報の変化をトリガーとして前記状態情報を前記コントロールプレーン制御手段に対して報告することを特徴とする。
【００２２】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出すステップと、
前記コントロールプレーン制御手段にて、前記記憶手段から読み出した前記第１のユーザプレーン制御手段の状態情報に基づいて前記第１のユーザプレーン制御手段にて無線リンクの追加が可能であるかを判断するステップとを有することを特徴とする。
【００２３】
また、前記コントロールプレーン制御手段にて、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示するステップを有することを特徴とする。
【００２４】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出すステップと、
前記コントロールプレーン制御手段にて、前記記憶手段から読み出した前記第２のユーザプレーン制御手段の状態情報に基づいて前記第２のユーザプレーン制御手段にて無線リンクの追加が可能であるかを判断するステップとを有することを特徴とする。
【００２５】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせるステップと、
前記コントロールプレーン制御手段にて、前記別のコントロールプレーン制御手段から回答された前記第２のユーザプレーン制御手段の状態情報に基づいて前記第２のユーザプレーン制御手段にて無線リンクの追加が可能であるかを判断するステップとを有することを特徴とする。
【００２６】
また、前記コントロールプレーン制御手段にて、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示するステップを有することを特徴とする。
【００２７】
上記目的を達成するために本発明の無線アクセスネットワークは、
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線アクセスネットワークにおいて、
前記ユーザプレーン制御手段は、自己が帰属している前記コントロールプレーン制御手段に対して自己の状態情報を報告し、
前記コントロールプレーン制御手段は、自配下のユーザプレーン制御手段毎に該ユーザプレーン制御手段から報告された状態情報を記憶手段に記憶し管理することを特徴とする。
【００２８】
また、前記ユーザプレーン制御手段は、該ユーザプレーン制御手段内のトラヒック情報を含む前記状態情報を前記コントロールプレーン制御手段に対して報告することを特徴とする。
【００２９】
また、前記ユーザプレーン制御手段は、該ユーザプレーン制御手段から外部に向けられた回線の帯域情報を含む前記状態情報を前記コントロールプレーン制御手段に対して報告することを特徴とする。
【００３０】
また、前記ユーザプレーン制御手段は、該ユーザプレーン制御手段内で検出されたアラーム情報を含む前記状態情報を前記コントロールプレーン制御手段に対して報告することを特徴とする。
【００３１】
また、前記ユーザプレーン制御手段は、前記コントロールプレーン制御手段から前記状態情報の送信要求を受ける度に、前記状態情報を前記コントロールプレーン制御手段に対して報告することを特徴とする。
【００３２】
また、前記ユーザプレーン制御手段は、一定の周期で前記状態情報を前記コントロールプレーン制御手段に対して報告することを特徴とする。
【００３３】
また、前記ユーザプレーン制御手段は、該ユーザプレーン制御手段の前記状態情報の変化をトリガーとして前記状態情報を前記コントロールプレーン制御手段に対して報告することを特徴とする。
【００３４】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出し、読み出した前記第１のユーザプレーン制御手段の状態情報に基づいて前記第１のユーザプレーン制御手段にて無線リンクの追加が可能であるかを判断することを特徴とする。
【００３５】
また、前記コントロールプレーン制御手段は、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示することを特徴とする。
【００３６】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出し、読み出した前記第２のユーザプレーン制御手段の状態情報に基づいて前記第２のユーザプレーン制御手段にて無線リンクの追加が可能であるかを判断することを特徴とする。
【００３７】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせ、該問い合わせに対して回答された前記第２のユーザプレーン制御手段の状態情報に基づいて前記第２のユーザプレーン制御手段にて無線リンクの追加が可能であるかを判断することを特徴とする。
【００３８】
また、前記コントロールプレーン制御手段は、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示することを特徴とする。
【００３９】
上記目的を達成するために本発明の無線制御装置の制御方法は、
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線制御装置の制御方法において、
前記ユーザプレーン制御手段にて、自己が帰属している前記コントロールプレーン制御手段に対して自己の状態情報を報告するステップと、
前記コントロールプレーン制御手段にて、自配下のユーザプレーン制御手段毎に該ユーザプレーン制御手段から報告された状態情報を記憶手段に記憶し管理するステップとを有することを特徴とする。
【００４０】
また、前記ユーザプレーン制御手段の状態情報には、該ユーザプレーン制御手段内のトラヒック情報が含まれることを特徴とする。
【００４１】
また、前記ユーザプレーン制御手段の状態情報には、該ユーザプレーン制御手段から外部に向けられた回線の帯域情報が含まれることを特徴とする。
【００４２】
また、前記ユーザプレーン制御手段の状態情報には、該ユーザプレーン制御手段内で検出されたアラーム情報が含まれることを特徴とする。
【００４３】
また、前記ユーザプレーン制御手段にて、前記コントロールプレーン制御手段から前記状態情報の送信要求を受ける度に、前記状態情報を前記コントロールプレーン制御手段に対して報告することを特徴とする。
【００４４】
また、前記ユーザプレーン制御手段にて、一定の周期で前記状態情報を前記コントロールプレーン制御手段に対して報告することを特徴とする。
【００４５】
また、前記ユーザプレーン制御手段にて、該ユーザプレーン制御手段の前記状態情報の変化をトリガーとして前記状態情報を前記コントロールプレーン制御手段に対して報告することを特徴とする。
【００４６】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出すステップと、
前記コントロールプレーン制御手段にて、前記記憶手段から読み出した前記第１のユーザプレーン制御手段の状態情報に基づいて前記第１のユーザプレーン制御手段にて無線リンクの追加が可能であるかを判断するステップとを有することを特徴とする。
【００４７】
また、前記コントロールプレーン制御手段にて、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示するステップを有することを特徴とする。
【００４８】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出すステップと、
前記コントロールプレーン制御手段にて、前記記憶手段から読み出した前記第２のユーザプレーン制御手段の状態情報に基づいて前記第２のユーザプレーン制御手段にて無線リンクの追加が可能であるかを判断するステップとを有することを特徴とする。
【００４９】
また、前記コントロールプレーン制御手段にて、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせるステップと、
前記コントロールプレーン制御手段にて、前記別のコントロールプレーン制御手段から回答された前記第２のユーザプレーン制御手段の状態情報に基づいて前記第２のユーザプレーン制御手段にて無線リンクの追加が可能であるかを判断するステップとを有することを特徴とする。
【００５０】
また、前記コントロールプレーン制御手段にて、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示するステップを有することを特徴とする。
【００５１】
上記目的を達成するために本発明の無線制御装置は、
移動機と交換機ネットワークである上位装置との間に設けられ、前記移動機に関するユーザデータの転送制御をなすユーザプレーン制御手段と制御信号であるシグナリングの転送制御をなすコントロールプレーン制御手段とを物理的に分離して設けた無線制御装置において、
前記ユーザプレーン制御手段は、自己が帰属している前記コントロールプレーン制御手段に対して自己の状態情報を報告し、
前記コントロールプレーン制御手段は、自配下のユーザプレーン制御手段毎に該ユーザプレーン制御手段から報告された状態情報を記憶手段に記憶し管理することを特徴とする。
【００５２】
また、前記ユーザプレーン制御手段は、該ユーザプレーン制御手段内のトラヒック情報を含む前記状態情報を前記コントロールプレーン制御手段に対して報告することを特徴とする。
【００５３】
また、前記ユーザプレーン制御手段は、該ユーザプレーン制御手段から外部に向けられた回線の帯域情報を含む前記状態情報を前記コントロールプレーン制御手段に対して報告することを特徴とする。
【００５４】
また、前記ユーザプレーン制御手段は、該ユーザプレーン制御手段内で検出されたアラーム情報を含む前記状態情報を前記コントロールプレーン制御手段に対して報告することを特徴とする。
【００５５】
また、前記ユーザプレーン制御手段は、前記コントロールプレーン制御手段から前記状態情報の送信要求を受ける度に、前記状態情報を前記コントロールプレーン制御手段に対して報告することを特徴とする。
【００５６】
また、前記ユーザプレーン制御手段は、一定の周期で前記状態情報を前記コントロールプレーン制御手段に対して報告することを特徴とする。
【００５７】
また、前記ユーザプレーン制御手段は、該ユーザプレーン制御手段の前記状態情報の変化をトリガーとして前記状態情報を前記コントロールプレーン制御手段に対して報告することを特徴とする。
【００５８】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が前記第１のユーザプレーン制御手段に帰属している場合、前記記憶手段から前記第１のユーザプレーン制御手段の状態情報を読み出し、読み出した前記第１のユーザプレーン制御手段の状態情報に基づいて前記第１のユーザプレーン制御手段にて無線リンクの追加が可能であるかを判断することを特徴とする。
【００５９】
また、前記コントロールプレーン制御手段は、前記第１のユーザプレーン制御手段で無線リンクの追加が可能であると判断した場合、前記第１のユーザプレーン制御手段に対して、前記第１のユーザプレーン制御手段と前記第２の無線基地局との間の無線リンクを追加するよう指示することを特徴とする。
【００６０】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が自配下の第２のユーザプレーン制御手段に帰属している場合、前記記憶手段から前記第２のユーザプレーン制御手段の状態情報を読み出し、読み出した前記第２のユーザプレーン制御手段の状態情報に基づいて前記第２のユーザプレーン制御手段にて無線リンクの追加が可能であるかを判断することを特徴とする。
【００６１】
また、前記コントロールプレーン制御手段は、自配下の第１のユーザプレーン制御手段との間で無線リンクが張られている第１の無線局のエリアに位置する移動機が第２の無線基地局のエリアに移動するに際し、該第２の無線基地局が別のコントロールプレーン制御手段の配下にある第２のユーザプレーン制御手段に帰属している場合、前記別のコントロールプレーン制御手段に対して前記第２のユーザプレーン制御手段の状態情報を問い合わせ、該問い合わせに対して回答された前記第２のユーザプレーン制御手段の状態情報に基づいて前記第２のユーザプレーン制御手段にて無線リンクの追加が可能であるかを判断することを特徴とする。
【００６２】
また、前記コントロールプレーン制御手段は、前記第２のユーザプレーン制御手段で無線リンクの追加が可能であると判断した場合、前記第１のユーザプレーン制御手段を経由して前記第２のユーザプレーン制御手段に対して、前記第２のユーザプレーン制御手段と前記第２の無線基地局との間の無線リンクを追加するよう指示することを特徴とする。
【００６３】
（作用）
上記のように構成された本発明においては、ユーザプレーン制御手段において、自己が帰属しているコントロールプレーン制御手段に対し、自己の状態情報（トラヒック／帯域／アラーム情報）を報告し、コントロールプレーン制御手段において、自配下のユーザプレーン制御手段毎に該ユーザプレーン制御手段から報告された状態情報を管理している。
【００６４】
従って、Ｃプレーン制御装置側では、Ｕプレーン制御装置の状態情報を容易に管理することが可能となるとともに、ハンドオーバ時に、自配下のＵプレーン制御装置の状態情報に基づいて無線リンクを追加するＵプレーン制御装置を決定するなどの経路制御を実現することが可能となる。
【００６５】
【発明の実施の形態】
以下に、本発明の実施の形態について図面を参照して説明する。
【００６６】
図１は、本発明の一実施形態による無線アクセスネットワークを含む移動通信システムを示す図であり、図９と同等部分は同一符号により示している。
【００６７】
図１に示すように、無線制御装置（ＲＮＣ：Radio Network Controller）４は、シグナリングを制御するＣプレーンに相当するＣプレーン制御装置（ＣＰＥ：Control Plane Equipment）４１ａ〜４１ｂと、ユーザデータを制御するＵプレーン制御装置（ＵＰＥ：User Plane Equipment）４２ａ〜４２ｃとに物理的に分離された構成となっている。Ｃプレーン制御装置４１ａ〜４１ｂとＵプレーン制御装置４２ａ〜４２ｃは、ルータ１７を介して接続されている。なお、図１においては、２つのＣプレーン制御装置４１ａ〜４１ｂおよび３つのＵプレーン制御装置４２ａ〜４２ｃが図示されているが、Ｃプレーン制御装置およびＵプレーン制御装置の数はこれらに限定されないことは言うまでもない。
【００６８】
Ｃプレーン制御装置４１ａ〜４１ｂは、呼処理などのシグナリング処理を行っており、呼量が多くなると、処理能力が足りなくなる場合が考えられる。その場合、従来のようにＲＮＣ単位で増設を行わなくても、Ｃプレーン制御装置４１ａ〜４１ｂを新たに追加することで、処理を容易に分散することができる。
【００６９】
一方、Ｕプレーン制御装置４２ａ〜４２ｃは、移動機（ＵＥ）からＮｏｄｅ  Ｂ（無線基地局）を介して転送されてきたユーザデータの転送処理を行っており、各移動機（ＵＥ）の転送する送受信データ量が多くなると、処理能力が足りなくなる場合が考えられる。その場合、従来のようにＲＮＣ単位で増設を行わなくても、Ｕプレーン制御装置４２ａ〜４２ｃを新たに追加することで、処理を容易に分散することができる。
【００７０】
Ｃプレーン制御装置４１ａ〜４１ｂは、自配下のＮｏｄｅ  Ｂのリソースを管理しており、別のＣプレーン制御装置がそのＮｏｄｅ  Ｂのリソースを使用したい場合には、そのＮｏｄｅ  Ｂのリソースを管理しているＣプレーン制御装置に問い合わせを行う。
【００７１】
さらに、Ｃプレーン制御装置４１ａ〜４１ｂは、自配下のＵプレーン制御装置のリソースを管理しており、別のＣプレーン制御装置がそのＵプレーン制御装置のリソースを使用したい場合には、そのＵプレーン制御装置のリソースを管理しているＣプレーン制御装置に問い合わせを行う。
【００７２】
特に、Ｃプレーン制御装置４１ａ〜４１ｂは、自配下のＵプレーン制御装置のリソースの時々刻々と変化するような状態情報については、自配下のＵプレーン制御装置から随時状態情報テーブルを収集し管理を行っている。
【００７３】
具体的には、Ｃプレーン制御装置４１ａ〜４１ｂは、図２に示すように、Ａ：装置内トラヒック、Ｂ：各ノード間回線の帯域、Ｃ：各種アラームの３つの状態情報を含む状態情報テーブルを自配下のＵプレーン制御装置から収集し管理している。これらの各情報は次のようなパラメータで構成されている。
【００７４】
Ａ：装置内トラヒック
Ｕプレーン制御装置内のトラヒック情報（リンク数やＵプレーン使用率などのリソース使用率）を示すパラメータ。
【００７５】
Ｂ：各ノード間回線の帯域
Ｕプレーン制御装置の外部に向けられた回線、すなわちＵプレーン制御装置が物理的に接続されているＮｏｄｅ  Ｂ側の回線とルータ側（あるいはＣプレーン制御装置側）の回線の各々の使用帯域情報（バースト的に発生した値や、一定時間内の平均値など）を示すパラメータ。
【００７６】
Ｃ：各種アラーム
Ｕプレーン制御装置内で想定されるアラーム情報（輻輳や障害などの準正常／異常状態）を示すパラメータ。
【００７７】
また、Ｃプレーン制御装置／Ｕプレーン制御装置／Ｎｏｄｅ  Ｂの帰属関係は、１個の上位ノードに対してｎ個の下位ノードを帰属させる場合、すなわち一意に帰属する上位ノードが決定される場合と、ｎ個の上位ノードに対してｍ個の下位ノードを帰属させる場合、すなわち２重／多重に帰属する上位ノードが決定される場合の双方のネットワーク構成を想定している。
【００７８】
具体的には、図１においては、Ｃプレーン制御装置：Ｕプレーン制御装置：Ｎｏｄｅ  Ｂ（無線基地局）の帰属関係は次のようになっている。
・Ｕプレーン制御装置４２ａ〜４２ｃ
Ｕプレーン制御装置４２ａ：Ｃプレーン制御装置４１ａにのみ帰属
Ｕプレーン制御装置４２ｂ：Ｃプレーン制御装置４１ａと４１ｂの双方に帰属（但し、ＮｏｄｅＢの状態管理上、論理的には４１ａに帰属）
Ｕプレーン制御装置４２ｃ：Ｃプレーン制御装置４１ｂにのみ帰属
・Ｎｏｄｅ  Ｂ６ａ〜６ｅ
Ｎｏｄｅ  Ｂ６ａ：Ｕプレーン制御装置４２ａにのみ帰属
Ｎｏｄｅ  Ｂ６ｂ：Ｕプレーン制御装置４２ａと４２ｂの双方に帰属
Ｎｏｄｅ  Ｂ６ｃ：Ｕプレーン制御装置４２ｂにのみ帰属
Ｎｏｄｅ  Ｂ６ｄ：Ｕプレーン制御装置４２ｂと４２ｃの双方に帰属
Ｎｏｄｅ  Ｂ６ｅ：Ｕプレーン制御装置４２ｃにのみ帰属
また、Ｕプレーン制御装置をＮｏｄｅ  Ｂに統合することとし、Ｃプレーン制御装置／Ｎｏｄｅ  Ｂ（Ｕプレーン制御装置を含む）の帰属関係を、１個のＣプレーン制御装置に対してｎ個のＮｏｄｅ  Ｂ（Ｕプレーン制御装置を含む）を帰属させる場合と、ｎ個のＣプレーン制御装置に対してｍ個のＮｏｄｅ  Ｂ（Ｕプレーン制御装置を含む）を帰属させる場合の双方のネットワーク構成として想定することも可能である。
【００７９】
また、Ｃプレーン制御装置４１ａ〜４１ｂとＵプレーン制御装置４２ａ〜４２ｃ間は、ＩＰ（Internet Protocol）ベースのネットワーク構成だけでなく、ＡＴＭ（Asynchronous Transfer Mode）ベースのネットワーク構成とすることも考えられる。なお、図１に示したＣプレーン制御装置４１ａ〜４１ｂとＵプレーン制御装置４２ａ〜４２ｃ間は、ＩＰベースのネットワーク構成であるため、ルータ１７を介して接続されている。
【００８０】
以下に、図１に示した無線アクセスネットワーク（ＲＡＮ）１の制御方法について説明する。
【００８１】
最初に、Ｃプレーン制御装置４１ａ，４１ｂが、Ｕプレーン制御装置の状態情報を収集する処理について、図３のフローチャートを参照して説明する。
【００８２】
Ｕプレーン制御装置４２ａは、図２に示すような３つの状態情報（Ａ：装置内トラヒック、Ｂ：各ノード間回線の帯域、Ｃ：各種アラーム）を含む状態情報テーブルをメッセージとして設定し、自己が帰属しているＣプレーン制御装置４１ａに対して報告する（ステップ３０１）。
【００８３】
なお、本実施形態においては、Ｕプレーン制御装置の状態情報テーブルの報告方法として、自己が帰属しているＣプレーン制御装置から状態情報テーブルの送信要求を受ける度に即時に応答して状態情報テーブルを報告する方法や、一定の周期で状態情報テーブルを報告する方法や、Ｕプレーン制御装置内の状態変化をトリガーとして状態情報テーブルを報告する方法（Ｕプレーン制御装置の障害などのアラームをトリガーとして自律的に報告する方法）等を想定している。
【００８４】
Ｃプレーン制御装置４１ａは、Ｕプレーン制御装置４２ａからメッセージとして受信した状態情報テーブルを、自メモリ内にＵプレーン制御装置毎に記憶する（ステップ３０２）。
【００８５】
同様に、Ｕプレーン制御装置４２ｃは、図２に示すような状態情報テーブルをメッセージとして設定し、自己が帰属しているＣプレーン制御装置４１ｂに対して送信し（ステップ３０３）、Ｃプレーン制御装置４１ｂは、Ｕプレーン制御装置４２ｃからメッセージとして受信した状態情報テーブルを、自メモリ内にＵプレーン制御装置毎に記憶する（ステップ３０４）。
【００８６】
Ｃプレーン制御装置４１ａは、Ｕプレーン制御装置４２ａから２回目以降の状態情報テーブルを受信すると（ステップ３０５）、受信した状態情報の内容で自メモリ内の状態情報テーブルを上書きする（ステップ３０６）。
【００８７】
同様に、Ｃプレーン制御装置４１ｂは、Ｕプレーン制御装置４２ｃから２回目以降の状態情報テーブルを受信すると（ステップ３０７）、受信した状態情報の内容で自メモリ内の状態情報テーブルを上書きする（ステップ３０８）。
【００８８】
Ｃプレーン制御装置４１ａ，４１ｂは、共に配下にＵプレーン制御装置４２ｂがあるが、Ｕプレーン制御装置４２ｂは論理的帰属（Ｕプレーン制御装置配下のＮｏｄｅＢ情報管理）を行っているＣプレーン制御装置４１ａに対して状態情報テーブルを報告し、報告された状態情報の内容で自メモリ内の状態情報テーブルを上書きする。
【００８９】
このように、Ｃプレーン制御装置４１ａ，４１ｂは、自配下のＵプレーン制御装置から状態情報テーブルを収集して管理しており、状態情報テーブルの内容によっては以下のような処理を行うことが可能になる。
【００９０】
例えば、Ｃプレーン制御装置４１ａ，４１ｂは、Ｕプレーン制御装置の装置内トラヒックパラメータが自メモリ内に保持されている装置内トラヒックパラメータの閾値を超えていると判断した場合には、対象となるＵプレーン制御装置に対して新規呼の受け付け制限や既存呼に対する呼の追い出し（ハンドオーバ処理も含む）などのアクセス規制処理を実施する。
【００９１】
また、Ｃプレーン制御装置４１ａ，４１ｂは、自メモリ内に保持されている各種帯域パラメータに基づき、Ｕプレーン制御装置の各ノード間回線の残帯域が新規呼が要求するサービスに必要な帯域を保証するだけの空きがないと判断した場合、新規呼の受け付け制限や、要求されているサービスによっては品質クラスを変更して受け付けるなどの処理を実施する。
【００９２】
また、Ｃプレーン制御装置４１ａ，４１ｂは、自メモリ内に保持されている各種アラームパラメータに基づき、Ｕプレーン制御装置の状態が輻輳／障害などの準正常／異常関連のアラーム状態であると判断した場合、新規呼の受け付け制限や既存呼の解放処理などを実施する。
【００９３】
さらに、Ｃプレーン制御装置４１ａ，４１ｂは、必要に応じて自配下のＵプレーン制御装置以外のＵプレーン制御装置の状態情報テーブルを得るために、対象のＵプレーン制御装置が帰属している別のＣプレーン制御装置に対して、対象のＵプレーン制御装置の状態情報テーブルの問い合わせを行うことも可能である。
【００９４】
例えば、Ｃプレーン制御装置４１ａは、自配下以外のＵプレーン制御装置４２ｃの状態情報テーブルを得る場合、Ｕプレーン制御装置４２ｃが帰属しているＣプレーン制御装置４１ｂに対して、Ｕプレーン制御装置４２ｃの状態情報テーブルの問い合わせを行う（ステップ３０９）。
【００９５】
これを受けて、Ｃプレーン制御装置４１ｂは、Ｕプレーン制御装置４２ｃの状態情報テーブルを自メモリから読み出し（ステップ３１０）、読み出した状態情報テーブルをＣプレーン制御装置４１ａに転送する（ステップ３１１）。
【００９６】
なお、ステップ３０９〜３１１のような処理は、例えば、Ｃプレーン制御装置が、ハンドオーバ、リロケーション、負荷分散／危険分散のための２重化などで、自配下のＵプレーン制御装置が現在実施している処理を、自配下のＵプレーン制御装置以外のＵプレーン制御装置に移管する場合などに実施される。
【００９７】
次に、図４に示すように、Ｎｏｄｅ  Ｂ６ａがカバーしているセルのエリアに位置する移動機（ＵＥ）２が、Ｎｏｄｅ  Ｂ６ｂ〜６ｅの各エリアに移動する各々の場合のハンドオーバ処理について、図５〜図８を参照して説明する。なお、図４において、移動機（ＵＥ）２が移動する前に張られている無線リンクは、Ｕプレーン制御装置４２ａを通るルート＃０であるものとする。
【００９８】
最初に、移動機（ＵＥ）２が、Ｎｏｄｅ  Ｂ６ａのセルエリアからＮｏｄｅ  Ｂ６ｂのセルエリアに移動する場合のハンドオフ処理について、図５のフローチャートを参照して説明する。なお、Ｎｏｄｅ  Ｂ６ｂは、Ｎｏｄｅ  Ｂ６ａと同一Ｃプレーン制御装置４１ａ配下のＵプレーン制御装置４２ａ，４２ｂの双方に帰属している。
【００９９】
この場合、Ｎｏｄｅ  Ｂ６ｂの無線リンク（RADIO LINK）の追加候補としては、Ｕプレーン制御装置４２ａを通るルート＃１と、Ｕプレーン制御装置４２ｂを通るルート＃２の２ルートが存在する。
【０１００】
そのため、Ｃプレーン制御装置４１ａは、Ｎｏｄｅ  Ｂ６ａからＵプレーン制御装置４２ａを介して、Ｎｏｄｅ  Ｂ６ｂの無線リンク追加要求を受信すると（ステップ５０１，５０２）、まず、Ｎｏｄｅ  Ｂ６ｂが帰属している自配下のＵプレーン制御装置４２ａに対応する状態情報テーブルを自メモリから読み出し（ステップ５０３）、読み出した状態情報テーブルに基づいてＵプレーン制御装置４２ａにて無線リンクの追加が可能であるかを判断する（ステップ５０４）。
【０１０１】
Ｃプレーン制御装置４１ａは、ステップ５０４でＵプレーン制御装置４２ａにて無線リンクの追加が可能であると判断した場合、Ｕプレーン制御装置４２ａに対して、Ｕプレーン制御装置４２ａとＮｏｄｅ  Ｂ６ｂとの間で無線リンクを追加するよう指示を行う（ステップ５０５）。続いて、Ｕプレーン制御装置４２ａは、Ｎｏｄｅ  Ｂ６ｂに対して、Ｕプレーン制御装置４２ａとの間の無線リンクを追加するよう指示を行う（ステップ５０６）。
【０１０２】
一方、Ｃプレーン制御装置４１ａは、ステップ５０４でＵプレーン制御装置４２ａにて無線リンクの追加が不可能であると判断した場合、Ｎｏｄｅ  Ｂ６ｂが他に帰属している自配下のＵプレーン制御装置４２ｂの状態情報テーブルを自メモリから読み出し（ステップ５０７）、読み出した状態情報テーブルに基づいてＵプレーン制御装置４２ｂにて無線リンクの追加が可能であるかを判断する（ステップ５０８）。
【０１０３】
Ｃプレーン制御装置４１ａは、ステップ５０８でＵプレーン制御装置４２ｂにて無線リンクの追加が可能であると判断した場合、Ｕプレーン制御装置４２ａを経由してＵプレーン制御装置４２ｂに対して、Ｕプレーン制御装置４２ｂとＮｏｄｅ  Ｂ６ｂとの間で無線リンクを追加するよう指示を行う（ステップ５０９，５１０）。続いて、Ｕプレーン制御装置４２ｂは、Ｎｏｄｅ  Ｂ６ｂに対して、Ｕプレーン制御装置４２ｂとの間の無線リンクを追加するよう指示を行う（ステップ５１１）。
【０１０４】
このとき、Ｕプレーン制御装置４２ａ，４２ｂは、Ｕプレーン制御装置４２ａ，４２ｂ間で直接信号の送受信を実現するために、既存のＵＴＲＡＮではＲＮＣ間の信号送受信に使用しているＲＮＳＡＰプロトコルに相当するプロトコルを実装して信号の送受信を行っている。
【０１０５】
仮に、Ｃプレーン制御装置４１ａは、Ｕプレーン制御装置４２ａ，４２ｂの状態情報テーブルを判断した結果、Ｕプレーン制御装置４２ａ，４２ｂの双方で無線リンクの追加が不可能であると判断した場合には、Ｕプレーン制御装置４２ａに対して、Ｕプレーン制御装置４２ａとＮｏｄｅ  Ｂ６ｂとの間の無線リンクの追加指示を出し、追加を行うか判断を任せる。これは、Ｕプレーン制御装置４２ａが無線リンクの追加指示を受け取った時点で、無線リンクの追加が可能な状態に遷移している場合を考慮するためである。但し、Ｕプレーン制御装置４２ａにアラームが発生しているときには、無線リンク追加指示の失敗を指示する。
【０１０６】
次に、移動機（ＵＥ）２が、Ｎｏｄｅ  Ｂ６ａのセルエリアからＮｏｄｅ  Ｂ６ｃのセルエリアに移動する場合のハンドオフ処理について、図６のフローチャートを参照して説明する。なお、Ｎｏｄｅ  Ｂ６ｃは、Ｎｏｄｅ  Ｂ６ａと同一Ｃプレーン制御装置４１ａ配下のＵプレーン制御装置４２ｂにのみ帰属している。
【０１０７】
この場合、Ｎｏｄｅ  Ｂ６ｃの無線リンク（RADIO LINK）の追加候補としては、Ｕプレーン制御装置４２ｂを通るルート＃３の１ルートのみが存在する。
【０１０８】
そのため、Ｃプレーン制御装置４１ａは、Ｎｏｄｅ  Ｂ６ａからＵプレーン制御装置４２ａを介して、Ｎｏｄｅ  Ｂ６ｃの無線リンク追加要求を受信すると（ステップ６０１，６０２）、Ｎｏｄｅ  Ｂ６ｃが帰属している自配下のＵプレーン制御装置４２ｂに対応する状態情報テーブルを自メモリから読み出し（ステップ６０３）、読み出した状態情報テーブルに基づいてＵプレーン制御装置４２ｂにて無線リンクの追加が可能であるかを判断する（ステップ６０４）。
【０１０９】
Ｃプレーン制御装置４１ａは、ステップ６０４でＵプレーン制御装置４２ｂにて無線リンクの追加が可能であると判断した場合、Ｕプレーン制御装置４２ａを経由してＵプレーン制御装置４２ｂに対して、Ｕプレーン制御装置４２ｂとＮｏｄｅ  Ｂ６ｃとの間で無線リンクを追加するよう指示を行う（ステップ６０５，６０６）。続いて、Ｕプレーン制御装置４２ｂは、Ｎｏｄｅ  Ｂ６ｃに対して、Ｕプレーン制御装置４２ｂとの間の無線リンクを追加するよう指示を行う（ステップ６０７）。
【０１１０】
なお、Ｃプレーン制御装置４１ａは、Ｕプレーン制御装置４２ｂの状態情報テーブルを判断した結果、Ｕプレーン制御装置４２ｂで無線リンクの追加が不可能であると判断した場合にも、Ｕプレーン制御装置４２ａを経由してＵプレーン制御装置４２ｂに対して、Ｕプレーン制御装置４２ｂとＮｏｄｅ  Ｂ６ｃとの間の無線リンクの追加指示を出し、追加を行うか判断を任せる。但し、Ｕプレーン制御装置４２ｂにアラームが発生しているときには、無線リンク追加指示の失敗を指示する。
【０１１１】
次に、移動機（ＵＥ）２が、Ｎｏｄｅ  Ｂ６ａのセルエリアからＮｏｄｅ  Ｂ６ｄのセルエリアに移動する場合のハンドオフ処理について、図７を参照して説明する。なお、Ｎｏｄｅ  Ｂ６ｄは、Ｎｏｄｅ  Ｂ６ａと同一Ｃプレーン制御装置４１ａ配下のＵプレーン制御装置４２ｂと、Ｎｏｄｅ  Ｂ６ａとは異なるＣプレーン制御装置４１ｂ配下のＵプレーン制御装置４２ｃの双方に帰属している。
【０１１２】
この場合、Ｎｏｄｅ  Ｂ６ｄの無線リンク（RADIO LINK）の追加候補としては、Ｕプレーン制御装置４２ｂを通るルート＃４と、Ｕプレーン制御装置４２ｃを通るルート＃５の２ルートが存在する。
【０１１３】
そのため、Ｃプレーン制御装置４１ａは、Ｎｏｄｅ  Ｂ６ａからＵプレーン制御装置４２ａを介して、Ｎｏｄｅ  Ｂ６ｄの無線リンク追加要求を受信すると（ステップ７０１，７０２）、まず、Ｎｏｄｅ  Ｂ６ｄが帰属している自配下のＵプレーン制御装置４２ｂに対応する状態情報テーブルを自メモリから読み出し（ステップ７０３）、読み出した状態情報テーブルに基づいてＵプレーン制御装置４２ｂにて無線リンクの追加が可能であるかを判断する（ステップ７０４）。
【０１１４】
Ｃプレーン制御装置４１ａは、ステップ７０４でＵプレーン制御装置４２ｂにて無線リンクの追加が可能であると判断した場合、Ｕプレーン制御装置４２ａを経由してＵプレーン制御装置４２ｂに対して、Ｕプレーン制御装置４２ｂとＮｏｄｅ  Ｂ６ｄとの間で無線リンクを追加するよう指示を行う（ステップ７０５，７０６）。続いて、Ｕプレーン制御装置４２ｂは、Ｎｏｄｅ  Ｂ６ｄに対して、Ｕプレーン制御装置４２ｂとの間の無線リンクを追加するよう指示を行う（ステップ７０７）。
【０１１５】
一方、Ｃプレーン制御装置４１ａは、ステップ７０４でＵプレーン制御装置４２ｂにて無線リンクの追加が不可能であると判断した場合、Ｎｏｄｅ  Ｂ６ｄが他に帰属しているＵプレーン制御装置４２ｃの状態情報テーブルを読み出すために、Ｕプレーン制御装置４２ｃが帰属しているＣプレーン制御装置４１ｂに対してＵプレーン制御装置４２ｃの状態情報テーブルの問い合わせを行う（ステップ７０８）。
【０１１６】
これを受けて、Ｃプレーン制御装置４１ｂは、Ｕプレーン制御装置４２ｃの状態情報テーブルを自メモリから読出し（ステップ７０９）、読み出した状態情報テーブルをＣプレーン制御装置４１ａに転送する（ステップ７１０）。
【０１１７】
Ｃプレーン制御装置４１ａは、ステップ７１０でＣプレーン制御装置４１ｂから転送されてきた状態情報テーブルに基づいてＵプレーン制御装置４２ｃにて無線リンクの追加が可能であるかを判断する（ステップ７１１）。
【０１１８】
Ｃプレーン制御装置４１ａは、ステップ７１１でＵプレーン制御装置４２ｃにて無線リンクの追加が可能であると判断した場合、Ｕプレーン制御装置４２ａを経由してＵプレーン制御装置４２ｃに対して、Ｕプレーン制御装置４２ｃとＮｏｄｅ  Ｂ６ｄとの間で無線リンクを追加するよう指示を行う（ステップ７１２，７１３）。続いて、Ｕプレーン制御装置４２ｃは、Ｎｏｄｅ  Ｂ６ｄに対して、Ｕプレーン制御装置４２ｃとの間の無線リンクを追加するよう指示を行う（ステップ７１４）。
【０１１９】
仮に、Ｃプレーン制御装置４１ａは、Ｕプレーン制御装置４２ｂ，４２ｃの状態情報テーブルを判断した結果、Ｕプレーン制御装置４２ｂ，４２ｃの双方で無線リンクの追加が不可能であると判断した場合には、Ｕプレーン制御装置４２ａを経由してＵプレーン制御装置４２ｂに対して、Ｕプレーン制御装置４２ｂとＮｏｄｅ  Ｂ６ｄとの間の無線リンクの追加指示を出し、追加を行うか判断を任せる。但し、Ｕプレーン制御装置４２ｂにアラームが発生しているときには、無線リンク追加指示の失敗を指示する。
【０１２０】
次に、移動機（ＵＥ）２が、Ｎｏｄｅ  Ｂ６ａのセルエリアからＮｏｄｅ  Ｂ６ｅのセルエリアに移動する場合のハンドオフ処理について、図８を参照して説明する。なお、Ｎｏｄｅ  Ｂ６ｅは、Ｎｏｄｅ  Ｂ６ａとは異なるＣプレーン制御装置４１ｂ配下のＵプレーン制御装置４２ｃにのみ帰属している。
【０１２１】
この場合、Ｎｏｄｅ  Ｂ６ｅの無線リンク（RADIO LINK）の追加候補としては、Ｕプレーン制御装置４２ｃを通るルート＃６の１ルートのみが存在する。
【０１２２】
そのため、Ｃプレーン制御装置４１ａは、Ｎｏｄｅ  Ｂ６ａからＵプレーン制御装置４２ａを介して、Ｎｏｄｅ  Ｂ６ｅの無線リンク追加要求を受信すると（ステップ８０１，８０２）、Ｎｏｄｅ  Ｂ６ｅが帰属しているＵプレーン制御装置４２ｃの状態情報テーブルを読み出すために、Ｕプレーン制御装置４２ｃが帰属しているＣプレーン制御装置４１ｂに対してＵプレーン制御装置４２ｃの状態情報テーブルの問い合わせを行う（ステップ８０３）。
【０１２３】
これを受けて、Ｃプレーン制御装置４１ｂは、Ｕプレーン制御装置４２ｃの状態情報テーブルを自メモリから読出し（ステップ８０４）、読み出した状態情報テーブルをＣプレーン制御装置４１ａに転送する（ステップ８０５）。
【０１２４】
Ｃプレーン制御装置４１ａは、ステップ８０５でＣプレーン制御装置４１ｂから転送されてきた状態情報テーブルに基づいてＵプレーン制御装置４２ｃにて無線リンクの追加が可能であるかを判断する（ステップ８０６）。
【０１２５】
Ｃプレーン制御装置４１ａは、ステップ８０６でＵプレーン制御装置４２ｃにて無線リンクの追加が可能であると判断した場合、Ｕプレーン制御装置４２ａを経由してＵプレーン制御装置４２ｃに対して、Ｕプレーン制御装置４２ｃとＮｏｄｅ  Ｂ６ｅとの間で無線リンクを追加するよう指示を行う（ステップ８０７，８０８）。続いて、Ｕプレーン制御装置４２ｃは、Ｎｏｄｅ  Ｂ６ｅに対して、Ｕプレーン制御装置４２ｃとの間の無線リンクを追加するよう指示を行う（ステップ８０９）。
【０１２６】
なお、Ｃプレーン制御装置４１ａは、Ｕプレーン制御装置４２ｃの状態情報テーブルを判断した結果、Ｕプレーン制御装置４２ｃで無線リンクの追加が不可能であると判断した場合にも、Ｕプレーン制御装置４２ａを経由してＵプレーン制御装置４２ｃに対して、Ｕプレーン制御装置４２ｃとＮｏｄｅ  Ｂ６ｅとの間の無線リンクの追加指示を出し、追加を行うか判断を任せる。但し、Ｕプレーン制御装置４２ｃにアラームが発生しているときには、無線リンク追加指示の失敗を指示する。
【０１２７】
【発明の効果】
以上説明したように本発明は、ユーザプレーン制御手段とコントロールプレーン制御手段とが物理的に分離して設けられた無線アクセスネットワークにおいて、ユーザプレーン制御手段が、自己が帰属しているコントロールプレーン制御手段に対して自己の状態情報（トラヒック／帯域／アラーム情報）を報告し、コントロールプレーン制御手段が、自配下のユーザプレーン制御手段毎に該ユーザプレーン制御手段から報告された状態情報を一括して管理している。
【０１２８】
これにより、Ｃプレーン制御装置側では、Ｕプレーン制御装置の状態情報を容易に管理することができるとともに、ハンドオーバ時に、自配下のＵプレーン制御装置の状態情報に基づいて無線リンクを追加するＵプレーン制御装置を決定し、そのＵプレーン制御装置に無線リンクの追加指示を出すなどの経路制御を実現することができる。なお、Ｃプレーン制御装置側では、ハンドオーバ時に、別のＣプレーン制御装置の配下にあるＵプレーン制御装置の状態情報を別のＣプレーン制御装置に問い合わせて収集し、別のＣプレーン制御装置の配下にあるＵプレーン制御装置に対して無線リンクの追加指示を出すこともできる。
【０１２９】
また、これらの方法を取り入れることで、移動機に対して安定した品質のサービスを提供することが可能になる。
【図面の簡単な説明】
【図１】本発明の一実施形態による無線アクセスネットワークを含む移動通信システムを示す図である。
【図２】図１に示したＣプレーン制御装置にて管理されるＵプレーン制御装置の状態情報テーブルの一例を示す図である。
【図３】図１に示した無線アクセスネットワークにおいて、Ｕプレーン制御装置の状態情報テーブルの収集処理を説明する図である。
【図４】図１に示した無線アクセスネットワークにおいて、ハンドオーバ処理が必要となる状況を説明する図である。
【図５】図１に示した無線アクセスネットワークにおいて、図４の状況下で行われるハンドオーバ処理の一例を説明するフローチャートである。
【図６】図１に示した無線アクセスネットワークにおいて、図４の状況下で行われるハンドオーバ処理の他の例を説明するフローチャートである。
【図７】図１に示した無線アクセスネットワークにおいて、図４の状況下で行われるハンドオーバ処理のさらに他の例を説明するフローチャートである。
【図８】図１に示した無線アクセスネットワークにおいて、図４の状況下で行われるハンドオーバ処理のさらに別の例を説明するフローチャートである。
【図９】従来の無線アクセスネットワークを含む移動通信システムの一構成例を示す図である。
【符号の説明】
１    無線アクセスネットワーク（ＲＡＮ）
２    移動機（ＵＥ）
３    コアネットワーク（ＣＮ）
４    無線制御装置（ＲＮＣ）
１７    ルータ
４１ａ〜４１ｂ    Ｃプレーン制御装置（ＣＰＥ）
４２ａ〜４２ｃ    Ｕプレーン制御装置（ＵＰＥ）
【図１】
2004194072.tif 000003
【図２】
2004194072.tif 000004
【図３】
2004194072.tif 000005
【図４】
2004194072.tif 000006
【図５】
2004194072.tif 000007
【図６】
2004194072.tif 000008
【図７】
2004194072.tif 000009
【図８】
2004194072.tif 000010
【図９】
2004194072.tif 000011